(57)【要約】【課題】タンデムプリントを行うに際して、親機と子機を連動動作させて、ジョブ完了のタイミングを略一致させるようにした印刷システムを提供する。【解決手段】１つのプリントジョブを共通の通信回路Ｎに接続された複数のプリンタ１，２で分散処理するタンデムプリントが可能な印刷システムにおいて、各プリンタ１，２は、ジョブ処理の順位操作を行うための操作手段４と、ジョブ処理の順位操作の内容に関する信号の授受を行う通信部１０、及び、受信したジョブ処理の順位操作の内容に従ってジョブ処理の順位を管理する管理部１４、を有するジョブ処理制御手段７と、を備えている。【選択図】  図１
2004234339.tif 000002
【特許請求の範囲】
【請求項１】
１つのプリントジョブを共通の通信回路に接続された複数のプリンタで分散処理するタンデムプリントが可能な印刷システムにおいて、
前記各プリンタは、
ジョブ処理の順位操作を行うための操作手段と、
ジョブ処理の順位操作の内容に関する信号の授受を行う通信部、及び、受信したジョブ処理の順位操作の内容に従ってジョブ処理の順位を管理する管理部、を有するジョブ処理制御手段と、を備えていることを特徴とする印刷システム。
【請求項２】
前記ジョブ処理の順位操作は、割込み指示であることを特徴とする請求項１記載の印刷システム。
【請求項３】
前記ジョブ処理の順位操作は、待機中のプリントジョブの先頭への割込み指示であることを特徴とする請求項１記載の印刷システム。
【請求項４】
前記ジョブ処理の順位操作は、待機中のプリントジョブ内でのジョブ処理順位の繰上げ指示であることを特徴とする請求項１記載の印刷システム。
【請求項５】
何れかのプリンタにおいて既に指示されているジョブ処理を中止もしくは中断する操作に連動して、他のプリンタにおけるジョブ処理が中止もしくは中断されることを特徴とする請求項１乃至４の何れかに記載の印刷システム。
【発明の詳細な説明】
【０００１】
【発明の属する技術分野】
本発明は、複数のプリンタが互いに通信可能な環境下に設置されている状態にて、１つのプリントジョブを複数のプリンタに分散させて印刷処理するタンデムプリントが可能な印刷システムに関する。
【０００２】
【従来の技術】
共通のネットワークに接続されている複数のプリンタを用いて、１つのプリントジョブを分散して印刷処理するタンデムプリントが可能な印刷システム（分散処理システム）は、以前から既に商品として市場に提供されており、大量のジョブを短時間で効率よく処理できるため、広く利用されている。
【０００３】
例えば、複数のプリンタの中で、現在動作可能なもの（ＬＥＤ点灯）と動作中のもの（ＬＥＤ点滅）が操作パネル上に表示され、動作可能なプリンタに対して、リーダーで読取った画像信号を分散して処理させるようにした構成が提案されている（例えば、特許文献１参照）。
【０００４】
しかし、このような従来のプリントシステムは、基本的に現在処理（利用）可能なプリンタの中だけでジョブを完成させるものであり、現在、ジョブを進行中のプリンタは分散処理用のプリンタとして確保することができず、例えば、前記共通のネットワークに接続されている残余のプリンタの総てがジョブを実行中であれば、結局ジョブを受付けたプリンタのみで処理することになり、分散処理の機能を上手く活用できていないのが現状である。
【０００５】
そこで、ジョブが実行中であるか否かにかかわらず、割り当てられたジョブを受付けるようにすると、それぞれのプリンタが待機中の総てのジョブを完了してから、割り当てられたジョブを開始することになり、出力の結果（完了のタイミング）がずれてしまい、利用する者としては所望する記録物を一括して手に入れることができなくなることも考えられる。
【０００６】
従って、結局、ジョブを行っていないプリンタを指定し、そのプリンタに総てのジョブを行わせた方が速いケースもある。しかし、このようにしても、分散処理の機能を上手く活用できないという問題がある。
【０００７】
一方、最近では、プリントジョブを順次受付けて、基本的には受付けた順番、さらには優先順位に基づいてジョブの処理（順位）をコントロールして、的確に複数のプリントジョブを処理してゆくようにしたジョブプリンタが商品化されてきている（例えば、特許文献２，３参照）。
【０００８】
【特許文献１】
特公平７−４４６２４号公報（明細書６頁左欄上から３３行〜１０頁左欄２８行、表１〜１３、図１４）
【特許文献２】
特開平７−２１９７２７号公報（段落「００５４」〜「００７０」、図１，図７）
【特許文献３】
特開平８−６３３０８号公報（段落「００３６」〜「００３７」、図１，図６）
【０００９】
【発明が解決しようとする課題】
前述したように、ジョブプリンタを複数台用いて分散処理を行い、前記のように完了のタイミングを一致させようとすると、処理を行うプリンタ毎に、現在のジョブの停滞状況などから、割り当てるべきジョブの量や、繰上げるべき順位を勘案して、それぞれに設定しなければならず、設定が非常に煩雑になるという問題がある。
【００１０】
本発明は、このような実情に鑑みてなされ、タンデムプリントを行うに際して、簡単な設定操作で、親機と子機を連動動作させて、ジョブ完了のタイミングを略一致させるようにした印刷システムを提供することを目的とする。
【００１１】
【課題を解決するための手段】
本発明は、上述の課題を解決するための手段を以下のように構成している。
【００１２】
（１）１つのプリントジョブを共通の通信回路に接続された複数のプリンタで分散処理するタンデムプリントが可能な印刷システムにおいて、
前記各プリンタは、ジョブ処理の順位操作を行うための操作手段と、
ジョブ処理の順位操作の内容に関する信号の授受を行う通信部、及び、受信したジョブ処理の順位操作の内容に従ってジョブ処理の順位を管理する管理部、を有するジョブ処理制御手段と、を備えていることを特徴とする。
【００１３】
このシステムにおいては、プリントジョブを複数のプリンタで分散処理する際に、プリントジョブを受信した何れかのプリンタ（親機）でジョブ処理順位の設定操作、たとえば繰上げや割込みの指示がなされると、これと連動して、既にプリントジョブを保有している他のプリンタ（子機）においても同様のジョブ処理順位の操作がなされる。
【００１４】
従って、一つのプリンタ（親機）でジョブ処理順位設定のための操作をするのみで、分散処理すべき１つの新たなプリントジョブを略同じタイミングで他のプリンタ（子機）においても処理させることができるため、ジョブ完了のタイミングが略一致し、利用者は、一括して所望の記録物を得ることができ、利便性が向上する。なお、このような印字システムでは、パソコンから行う一つのプリンタ（親機）に対する指示（プリントジョブとジョブ処理順位の設定）のみで、他のプリンタ（子機）を連動させることができるようにするのが好ましい。
【００１５】
（２）前記ジョブ処理順位操作は、割込み指示であることを特徴とする。
【００１６】
このシステムにおいては、１つのプリントジョブを複数のプリンタで分散処理する際に、あるプリンタで割込み処理が指示されると、既にジョブを保有している他のプリンタにおいても、待機中、動作中に関わらず、同様に割込み処理が行われることになる。
【００１７】
従って、分散処理される１つのジョブが、複数のプリンタで最優先で略同時に処理が開始されるため、略同じタイミングで、そのジョブを完了することができるため、利用者は、一括して所望の記録物を得ることができ利便性が向上する。
【００１８】
（３）前記ジョブ処理順位操作は、待機中のプリントジョブの先頭への割込み指示であることを特徴とする。
【００１９】
この構成においては、１つのプリントジョブを複数のプリンタで分散処理を行う際に、あるプリンタで割込み処理が指示されると、他のプリンタでは、既に処理中のジョブがあれば、そのジョブが終了してから、残余の待機中のジョブに割込んで処理が行われることになる。
【００２０】
従って、分散処理すべき１つのジョブを、複数のプリンタで、優先的に処理するため、多少の相違はあっても、略同じタイミングで完了することができるため、利用者は、一括して所望の記録物を得ることができ利便性が向上する。
【００２１】
（４）前記ジョブ処理順位操作は、待機中のプリントジョブ内でのジョブ処理順位の繰上げ指示であることを特徴とする。
【００２２】
この構成においては、１つのプリントジョブを複数のプリンタで分散処理を行うにあたって、一方のプリンタで順位の繰上げが指示されると、他方のプリンタでも、既に処理中のジョブを除く待機中のジョブ内での順位が繰上げられることになる。
【００２３】
従って、分散処理すべき１つのジョブを、複数のプリンタで、優先的に処理するため、多少の相違はあっても、略同じタイミングで完了することができ、利用者は、一括して所望の記録物を得ることができ利便性が向上する。
【００２４】
（５）何れかのプリンタにおいて既に指示されているジョブ処理を中止もしくは中断する操作に連動して、他のプリンタにおけるジョブ処理が中止もしくは中断されることを特徴とする。
【００２５】
このシステムにおいては、複数のプリンタに対して分散処理を指示した後で、何れかのプリンタにおいて、プリントジョブの処理を中止もしくは中断するための操作を行えば、その操作に連動して、他のプリンタにおけるジョブ処理を同時に、中止もしくは中断することができる。
【００２６】
【発明の実施の形態】
以下に、本発明の実施の形態に係る印字システムについて図面を参照しつつ詳細に説明する。
図１は、印刷システムの制御系統を示し、この印字システムは、複数のプリンタ（デジタル複合機）１，２が、共通の通信回路（例えば、ＬＡＮ等のネットワーク）Ｎを介して、パソコンＰＣ１〜ＰＣ４と接続されており、１つのプリントジョブを複数のプリンタ１，２で分散して印刷処理するタンデムプリントが可能に構成されている。
【００２７】
各プリンタ１，２は、ＣＣＤラインセンサ２ａを備えた画像読み取り部２、入力部４ａと表示部４ｂを備えた操作手段としての操作部４、ハードディスク（ＨＤ）１２に接続されたメモリ６ａと印字部（ＬＳＵ）６ｂを備えた画像形成部６、及び、タンデムプリント時におけるジョブ処理の順位操作を（相互に）制御管理するためのジョブ処理制御手段７、を具備している。なお、後述するジョブ処理順位の設定操作の説明では、７機程度のプリンタをネットワークＮに接続した場合を例として、説明しているが、図１では、その図示を省略している。
【００２８】
そのジョブ処理制御手段７は、機器制御部８、通信部１０、管理部１４からなり、機器制御部８は、操作部４及び画像形成部６と接続され、（操作部４又はパソコンＰＣ１〜ＰＣ４からの）ジョブ処理の順位操作の内容に関する信号の授受を行う通信部１０と、通信部１０を介して受信した順位操作の内容に従って（当該プリンタ１又は２の）ジョブ処理の順位を設定する管理部１４と、を制御統括する。
【００２９】
このような構成により、パソコンＰＣ１〜ＰＣ４又はプリンタ１，２の何れかによって設定されたプリントジョブを複数のプリンタ１，２で分散処理する際に、プリントジョブを受信した何れかのプリンタ１（又は２）に対して、ジョブ処理順位の設定操作、たとえば繰上げや割込みの指示がなされると、これと連動して、既にプリントジョブを保有している他のプリンタ２（又は１）においても同様のジョブ処理順位の操作がなされる。
【００３０】
従って、親機となるプリンタ１（又は２）に対するジョブ処理順位設定のための操作を行うだけで、分散処理すべき１つの新たなプリントジョブを略同じタイミングで他のプリンタ２（又は１）においても処理させることができるため、ジョブ完了のタイミングが略一致し、利用者は、一括して所望の記録物を得ることができ、利便性が顕著に向上する。
【００３１】
図２は、各プリンタ１，２の操作部４における表示部４ｂに設けられる操作パネルＰの一例を示す正面図である。この操作パネルＰは、ユーザーが操作しやすい箇所、例えば、画像読み取り部２の上面等に設けられ、各種のキーＫ１〜Ｋ１０を備えると共に、液晶タッチパネルなどで構成されるディスプレイＤを備えている。
【００３２】
各キーの符号は、Ｋ１：テンキー、Ｋ２：割り込みキー、Ｋ３：クリアキー、Ｋ４：全クリアキー、Ｋ５：スタートキー、Ｋ６：送信モードキー、Ｋ７：プリンタモードキー、Ｋ８：コピーモードキー、Ｋ９：ジョブ状況一覧表示キー、Ｋ１０：ユーザー設定モード切替キーである。
【００３３】
図３は、ディスプレイＤの初期（待機中の）画面を示し、この場合、コピーモードにおける各種の設定を入力するための画面が表示されていると共に、参照符Ｐ１〜Ｐ３で示されるように、プリンタ部における処理中、及び待機中のプリントジョブの存在を示すアイコンが表示されている。なお、Ｐ１は、現在出力中のプリントジョブ、Ｐ２とＰ３は、待機中のプリントジョブである。
【００３４】
この状態で新たなコピーのジョブを入力すると、そのコピージョブは、４番目のプリントジョブとしてプリンタの順番待ちとなる。このとき（４番目のジョブとしてコピーのジョブを指示する際に）、「特別機能キー」を操作すると、図４に示すように、「特別機能」の選択画面となる。
【００３５】
ここで、１つのプリントジョブを複数のプリンタ１，２…で分散処理する場合には、「タンデムプリントキー」を選択すればよい。「タンデムプリントキー」が操作されると、図５に示す「確認画面」となる。なお、図示の「Ｐ４」は、タンデムプリントモードにあることを表すモードアイコンである。
【００３６】
図５の「確認画面」は、前記タンデムプリントを実行可能な他のプリンタ（子機）の有無を確認していることを表すものであり、前記タンデムプリントを実行可能な条件として、電源が投入されており、かつネットワークＮに接続されていると共に、ジャムなどのトラブルが発生していないことが挙げられる。ただし、本発明では、現在、他のジョブを実行中であるか否かは前記条件には含まれない。
【００３７】
確認が終了すると（プリンタが確認されると）、図６に示すように、利用者に対してメッセージによる案内を行う。図示のように、「準備ができた」ことを確認してから、ジョブにおけるプリント枚数（部数）をテンキーＫ１で入力する（この時点で、その他の希望するモードについても合わせて入力することができる）。図６の例では、ジョブの記録枚数として、参照符Ｐ５で示すように、５０部が設定されている。
【００３８】
このようにして設定が終了し、操作パネルＰのスタートキーＫ５が操作されると、複写機の原稿読み取り部にセットされた原稿の画像を読み取り、画像データとして装置内の記憶装置に一旦蓄積され、プリンタ部におけるプリントジョブの順番を待つこととなる。
【００３９】
図７は、原稿の読み取りが完了して、新たな４番目のプリントジョブをプリンタが受け付ける前の状態を表し、図８は、原稿の読み取りが完了し、４番目の新たなプリントジョブを受け付けた状態を示す。このとき、タンデムプリントモードの子機（２台目）として確保されたプリンタにおいても同様にプリンタ部におけるプリントジョブの最後に待機中としてホールドされる。なお、図７および図８の画面は、プリンタ部におけるジョブの進行状況をリスト表示して確認するためのものであり、操作パネルＰのジョブ状況確認キーＫ９を操作することで表示される。
【００４０】
注目すべきは、本発明では、上述のようにして設定されたプリントジョブの順位を、（パソコンＰＣ１〜ＰＣ４からの指示又は）親機となるプリンタ（例えば、プリンタ１）で変更すると、子機となるプリンタ（例えば、プリンタ２）でも、連動して変化することである。すなわち、図８において、一旦待機中ジョブとしてホールドされた４番目のプリントジョブ部分を押圧すると、図９に示すように、白黒反転表示されると共に、その右側にプリントジョブの順位を変更するアップキーＫ１１とダウンキーＫ１２が表示される。
【００４１】
そして、このアップキーＫ１１を操作することによって、図１０に示すように、プリントジョブの順位を入れ換えて出力することが可能となる。なお、図１０の例では、一番上に移動されたことを表し、ここでは、先ほどまで出力中にあった１番目のジョブに対して４番目のプリントジョブの優先順位を上げて割り込ませたことを表している。ここでは、５０部ということで、設定されているので親機（例えば、プリンタ１）２５部、子機（例えば、プリンタ２）２５部のタンデムプリントにおけるジョブの優先順位をそれぞれのプリンタ１，２において上げて割り込み処理されている。すなわち、親機のジョブ処理操作に連動して子機においてもジョブ処理順位（優先順位）が変更される。
【００４２】
また、プリントジョブの割り込み指示方法としては、操作パネルＰ上に設けられた割り込みキーＫ２を操作することでも可能である。そして、現在進行中のプリントジョブを一時的に停止させ、図３のコピーモード基本画面から新たなコピージョブの開始を指示する。図１１は、先ほどまで出力していた１番目のプリントジョブを一時的に停止させていることを表している（１番目のジョブの上に割り込みジョブを受け付けた段階で表示する領域を確保している）。
【００４３】
そして、５０部のコピージョブが、タンデムプリントとして親機（例えば、プリンタ１）と子機（例えば、プリンタ２）に対して２５部ずつ分散されると、図１２に示すように、１番上の部分に割り込みジョブとして取り込まれる。このとき、子機（プリンタ２）側においても親機（プリンタ１）側と同様にタンデムプリントのジョブが進行される（親機のジョブ割り込みに連動して子機のジョブ割り込みも指示される）。
【００４４】
また、子機（プリンタ２）にプリントジョブが指示される際、基本的に親機（プリンタ１）のジョブと共に終了することが理想であるための、子機（プリンタ２）にプリントジョブがない場合、親機（プリンタ１）からのジョブ指示があってもすぐには開始せずに、プリントジョブをホールドしておき、その後の親機側でのジョブ（タンデムプリントの分）がプリント開始されると、それに合わせてプリントジョブを開始するようにする。
【００４５】
図１３は、本印刷システムによって行うタンデムプリントの処理手順を説明するためのフローチャートである。前記図３から図４に示すような画面からタンデムプリントが選択されると、まず、ステップｓ１に移り、他のプリンタが使用可能であるか否かの確認が行われ、前記図５に示すような画面表示となる。ステップｓ２でその結果が判断され、使用可能なプリンタが１台もないときにはステップｓ３に移って処理を終了し、使用可能なプリンタがあるときにはステップｓ４に移って前記図６に示すような画面表示となり、タンデムプリントが可能であることを利用者に報知する。
【００４６】
そして、ステップｓ５では利用者による各種のプリント条件の設定が行われると、ステップｓ６ではプリント指示待ちとなり、スタートキーＫ５が操作されるとステップｓ７に移る。ステップｓ７ではプリントデータが生成され（スキャナ部による原稿画像の読み取りなど）、ステップｓ８ではプリント条件やプリントデータがプリントジョブとして親機分と子機分に分散され、ステップｓ９から、割り当てられた量のジョブの処理がプリンタに指示される（親機と子機のそれぞれにプリントジョブとしてホールドされる。基本的には先にも説明したように、現在ホールドされているジョブの一番最後にホールドされる。本発明はその間にホールドされたジョブの順位を変更すると、子機に分散されたジョブも合わせて処理の順位が変更されるものである。）
図１４は、親機と子機にタンデムプリントとして分散ホールドされたジョブの順位を入れ換える処理を説明するためのフローチャートである。
【００４７】
ステップｓ１１では、操作パネルジョブ状況キーＫ９が操作されると、前記図８に示すように現在待機中にあるプリントジョブリストが一覧表示される。そしてその中から希望するプリントジョブを選択して（ｓ１２）、アップキーＫ１１およびダウンキーＫ１２を所定時間内に操作してジョブの処理順位を変更指示することとなる。
【００４８】
図９のようにジョブが特定されると、特定されるとステップｓ１３に移り、タイマがセットされ、カウント動作が開始される。ステップｓ１４では、前記ステップｓ１２で特定されたジョブが通常の単独ジョブであるか否かが判断され、単独のジョブであるときにはステップｓ２１に移り、タンデムプリントのジョブであるときにはステップｓ３１に移る。
【００４９】
ステップｓ２１では、ジョブ順位の上昇操作であるか否かが判断され、上昇操作であるときにはステップｓ２２において、その特定されているジョブの順位が上昇されて前記ステップｓ２１に戻る。前記ステップｓ２１でジョブ順位の上昇操作でないときにはステップｓ２３に移り、ジョブ順位の降下操作であるか否かが判断され、降下操作であるときにはステップｓ２４において、その特定されているジョブの順位が降下されて前記ステップｓ２１に戻る。前記ステップｓ２１でジョブ順位の降下操作でないときにはステップｓ２５に移る。
【００５０】
ステップｓ２５ではクリアキーＫ３の操作によるジョブ順位の入換え処理のクリア指示であるか否かが判断され、クリア指示であるときにはステップｓ２６でクリア処理、すなわちジョブ順位の変更指示前の状態に復帰されて処理を終了し、クリア指示でないときにはステップｓ２７でタイマがタイムアップしているか否かが判断され、タイムアップしているときにはジョブの順位を変更する処理を終了し、タイムアップしていないときには前記ステップｓ２１に戻る（すなわち、親機単独で処理するジョブに対する順位の変更指示を行ってから、所定時間内にプリンタにおけるジョブの処理順位を変更指示することである）。
【００５１】
一方、タンデムプリントでは、ステップｓ３１からｓ３２において、前記ステップｓ２１からｓ２２と同様に、ジョブ順位の上昇操作であるか否かが判断され、上昇操作であるときにはその特定されているジョブの順位が上昇される。その後、ステップｓ３３において、子機側に対しても同様にジョブ順位の上昇指示が行われて前記ステップｓ３１に戻る。
【００５２】
前記ステップｓ３１でジョブ順位の上昇操作でないときにはステップｓ３４に移り、前記ステップｓ２３からｓ２４と同様に、ジョブ順位の降下操作であるか否かが判断され、降下操作であるときにはステップｓ３５において、その特定されているジョブの順位が降下される。
【００５３】
その後、ステップｓ３６において、子機側に対しても同様にジョブ順位の降下指示が行われて前記ステップｓ３１に戻る。前記ステップｓ２４でジョブ順位の降下操作でないときにはステップｓ３７に移る。
【００５４】
ステップｓ３７では前記ステップｓ２５と同様に、クリアキーＫ３の操作によるクリア指示であるか否かが判断され、クリア指示であるときにはステップｓ３８でクリア処理が行われた後、ステップｓ３９において、子機側に対しても同様にクリア処理が行われて処理を終了し、クリア指示でないときにはステップｓ４０で前記ステップｓ２７と同様に、でタイマがタイムアップしているか否かが判断され、タイムアップしているときには処理を終了し、タイムアップしていないときには前記ステップｓ３１に戻る。
【００５５】
以上のように、１つのプリントジョブを複数のプリンタで分散処理を行うにあたって、一つのプリンタ（親機）でジョブの順位操作、たとえば繰上げや割込みの指示がなされると、他のプリンタ（子機）においても、既にジョブを保有していると、同様の順位操作がなされることになり、一つのプリンタを操作するだけで、容易に、分散処理すべき１つのジョブを略同じタイミングで完了させることができるため、利用者は、一括して所望の記録物を得ることができ利便性が向上する。
【００５６】
【発明の効果】
以上の説明から明らかなように、本発明は、以下の効果を奏する。
【００５７】
（１）何れかのプリンタにおけるジョブ処理順位の設定操作に連動して、他のプリンタにおけるジョブ処理順位が同様に操作されるので、分散処理すべき１つの新たなプリントジョブが略同じタイミングで他のプリンタにおいても処理されるため、ジョブ完了のタイミングが略一致し、利用者は、一括して所望の記録物を得ることができる。
【００５８】
（２）１つのプリントジョブを複数のプリンタで分散処理する際に、あるプリンタで割込み処理が指示されると、既にジョブを保有している他のプリンタにおいても、待機中、動作中に関わらず、同様に割込み処理が行われるので、分散処理される１つのジョブが、複数のプリンタで最優先で略同時に処理が開始されるため、略同じタイミングで、そのジョブを完了することができ、利用者は、一括して所望の記録物を得ることができ利便性が向上する。
【００５９】
（３）１つのプリントジョブを複数のプリンタで分散処理を行う際に、あるプリンタで割込み処理が指示されると、他のプリンタでは、既に処理中のジョブがあると、そのジョブが終了してから、残余の待機中のジョブに割込んで処理が行われので、多少の相違はあっても、略同じタイミングで完了することができるため、利用者は、一括して所望の記録物を得ることができる。
【００６０】
（４）１つのプリントジョブを複数のプリンタで分散処理を行うにあたって、一方のプリンタで順位の繰上げが指示されると、他方のプリンタでも、既に処理中のジョブを除く待機中のジョブ内での順位が繰上げられるので、分散処理すべき１つのジョブが、複数のプリンタで、優先的に処理され、多少の相違はあっても、略同じタイミングで完了することができるため、利用者は、一括して所望の記録物を得ることができる。
【００６１】
（５）複数のプリンタに対して分散処理を指示した後で、何れかのプリンタにおいて、プリントジョブの処理を中止もしくは中断するための操作を行えば、その操作に連動して、他のプリンタにおけるジョブ処理を同時に、中止もしくは中断することができるため、利便性が向上する。
【図面の簡単な説明】
【図１】本発明の実施の形態に係る印刷システムの制御系統ブロック図である。
【図２】同プリンタの操作パネルの一例を示す説明図である。
【図３】同ディスプレイの表示状態の一例を示す説明図である。
【図４】同他の例を示す説明図である。
【図５】同他の例を示す説明図である。
【図６】同他の例を示す説明図である。
【図７】同他の例を示す説明図である。
【図８】同他の例を示す説明図である。
【図９】同他の例を示す説明図である。
【図１０】同他の例を示す説明図である。
【図１１】同他の例を示す説明図である。
【図１２】同他の例を示す説明図である。
【図１３】同タンデムプリントの処理手順を説明するためのフローチャートである。
【図１４】同ジョブ処理順位を入れ換える処理を説明するためのフローチャートである。
【符号の説明】
１，２−プリンタ
７−ジョブ処理接続手段
１０−通信部
１４−管理部
Ｎ−共通の通信回路
【図１】
2004234339.tif 000003
【図２】
2004234339.tif 000004
【図３】
2004234339.tif 000005
【図４】
2004234339.tif 000006
【図５】
2004234339.tif 000007
【図６】
2004234339.tif 000008
【図７】
2004234339.tif 000009
【図８】
2004234339.tif 000010
【図９】
2004234339.tif 000011
【図１０】
2004234339.tif 000012
【図１１】
2004234339.tif 000013
【図１２】
2004234339.tif 000014
【図１３】
2004234339.tif 000015
【図１４】
2004234339.tif 000016